(57)【要約】      （修正有）【課題】丼ものや飲料容器を載置するのに適したアームレストテーブルを提供する。【解決手段】アームレストテーブルは、テーブル面を構成する天板２ｂと、アームレスト３の両側に固定され、天板２ｂを支持する２つの側板４ｂとを備える。天板２ｂは、そのテーブル面上に載置する物が配置される凹部であって、該載置物に応じた形状を有する直方体状凹部５や円筒状凹部６を備える。【選択図】図２
0003219289.tif 000002
【実用新案登録請求の範囲】
【請求項１】
天板と、
前記天板を支持し、アームレストを挟むようにして該アームレストの両側に固定される２つの側板とを備え、
前記天板の上面は、載置物を載せるのに適したテーブル面を構成していることを特徴とするアームレストテーブル。
【請求項２】
前記天板のテーブル面には、前記載置物を受け入れるのに適合した形状を有する凹部が設けられることを特徴とする請求項１に記載のアームレストテーブル。
【請求項３】
前記天板は、前記２つの側板よりも前方に延出した延出部を備え、
前記延出部は、カップの底部側を受けて保持するための貫通孔を有することを特徴とする請求項１又は２に記載のアームレストテーブル。
【請求項４】
横断面が円形である容器を前記載置物として保持するための円筒面状の側壁及び底部を有する円筒状凹部を前記凹部として備え、
前記円筒状凹部は、前記側壁における周方向の３箇所以上において、
該側壁の周方向に沿って延びた回転軸と、
各回転軸の周りで回転自在に支持された回動支持片と、
該回動支持片を第１回転位置に位置するように付勢する付勢手段とを備え、
各回動支持片は、
該回動支持片が前記第１回転位置に位置するとき、前記円筒状凹部に挿入された前記容器の側面に近接又は接触して対峙する支持面を先端部に有するレバー部を備え、
前記容器が前記円筒状凹部に挿入される際に、該容器の底部が該レバー部に接触した場合には、前記第１回転位置から前記付勢手段の付勢力に抗して回転することにより該容器の挿入を許容するとともに、挿入の完了時までに該付勢力によって該第１回転位置に復帰するように構成されることを特徴とする請求項２に記載のアームレストテーブル。
【考案の詳細な説明】
【技術分野】
【０００１】
本考案明は、アームレスト（肘掛）に装着されるアームレストテーブルに関する。
【背景技術】
【０００２】
従来、天板と該天板の一方の端部に取り付けられた第１挟持用側板、及び該天板の他方の端部に取り付けられた第２挟持用側板を備えた折り畳みテーブルが知られている（例えば、特許文献１参照）。特許文献１の折り畳みテーブルでは、第１挟持用側板は、天板と第１蝶番部を介して回動可能に連結される。さらに、この折り畳みテーブルは、天板下面と第１挟持用側板との挟角角度が選択的に略固定可能な構造を有している。
【０００３】
また、第２挟持用側板は、天板と第２蝶番部を介して回動可能に連結される。さらに、第２挟持用側板には、第２挟持用側板を天板下面へ接近させる方向に回動しうる付勢力を有するバネが取り付けられている。
【０００４】
この、折り畳みテーブルは、ソファの肘掛けなどに対して、第１蝶番部が肘掛けの一側面の略上部となる位置で、第１挟持用側板と第２挟持用側板を天板下面から引き離すように開いた状態にして、天板を肘掛け上面に略水平に載置することにより、装着することができる。
【０００５】
一方、特許文献２には、ソファの背凭れ部の上面の任意の位置に取り付けることができる天板装置が記載されている。この天板装置は、背凭れ部における平頂面に沿った上片と、背凭れ部における低背台座部材側の前面に沿った前片と、背凭れ部における前面の裏側に位置する裏面に沿った後片とを備え、断面形状が、下方に開口する略コ字形状をなす。
【先行技術文献】
【特許文献】
【０００６】
【特許文献１】特開２００７−１５１９２７号公報
【特許文献２】特開２０１５−８４９０３号公報
【考案の概要】
【考案が解決しようとする課題】
【０００７】
しかしながら、上記特許文献１の折り畳みテーブルや特許文献２の天板装置によれば、天板の上面が平らであるため、丼ものや飲料容器を載置した場合に、容易に脱落するおそれがある。特に、乗り物においては、飲料容器が天板から落下するおそれが高く、落下すると、不測の事態を招くことも懸念される。
【０００８】
本考案の目的は、かかる従来技術の課題に鑑み、丼ものや飲料容器を載置するのに適したアームレストテーブルを提供することにある。
【課題を解決するための手段】
【０００９】
本考案のアームレストテーブルは、天板と、前記天板を支持し、アームレストの両側に固定される２つの側板とを備え、前記天板の上面は、載置物を載せるのに適したテーブル面を構成していることを特徴とする。
【００１０】
本考案によれば、天板の上面が載置物を載せるのに適したテーブル面を構成しているので、載置物を極力姿勢が安定した状態でテーブル面上に載置することができる。
【００１１】
本考案において、天板のテーブル面には、前記載置物を受け入れるのに適合した形状を有する凹部が設けられるのが好ましい。
【００１２】
これによれば、載置物を、それに適合した形状を有する凹部に配置することができる。これにより、アームレストテーブルがアームレストと共に揺れ動いた場合でも、極力テーブル面から載置物が落下するのを防止することができる。
【００１３】
本考案において、前記天板は、前記２つの側板よりも前方に延出した延出部を備え、前記延出部は、カップの底部側を受けて保持するための貫通孔を有していてもよい。
【００１４】
これによれば、カップの底部側を貫通孔に挿入することにより、カップを確実に保持することができる。
【００１５】
本考案において、
横断面が円形である容器を前記載置物として保持するための円筒面状の側壁及び底部を有する円筒状凹部を前記凹部として備え、
前記円筒状凹部は、前記側壁における周方向の３箇所以上において、
該側壁の周方向に沿って延びた回転軸と、
各回転軸の周りで回転自在に支持された回動支持片と、
該回動支持片を第１回転位置に位置するように付勢する付勢手段とを備え、
各回動支持片は、
該回動支持片が前記第１回転位置に位置するとき、前記円筒状凹部に挿入された前記容器の側面に近接又は接触して対峙する支持面を先端部に有するレバー部を備え、
前記容器が前記円筒状凹部に挿入される際に、該容器の底部が該レバー部に接触した場合には、前記第１回転位置から前記付勢手段の付勢力に抗して回動することにより該容器の挿入を許容するとともに、挿入の完了時までに該付勢力によって該第１回転位置に復帰するように構成されてもよい。
【００１６】
これによれば、容器を円筒状凹部に上から挿入するだけで、回動支持片により容器の側面を確実に支持して容器を円筒状凹部により保持することができる。その際に容器の底部が回動支持片のレバー部に接触した場合でも、容器の挿入が許容され、挿入の完了時には回動支持片が第１回転位置に復帰して容器の側面を確実に支持するので、容器の挿入を正確に行わなくても、容器を円筒状凹部に容易かつ確実に保持させることができる。
【図面の簡単な説明】
【００１７】
【図１】本考案の第１実施形態に係るアームレストテーブルを模式的に示す斜視図である。
【図２】本考案の第２実施形態に係るアームレストテーブルを模式的に示す斜視図である。
【図３】図２のアームレストテーブルにおける円筒状凹部の無負荷時又は第１容器を挿入したときの様子を示す断面図である。
【図４】図１のアームレストテーブルにおける円筒状凹部の第２容器を挿入したときの様子を示す断面図である。
【考案を実施するための形態】
【００１８】
以下、図面を用いて本考案の実施形態を説明する。図１は、本考案の第１実施形態に係るアームレストテーブルを示す。図１に示すように、アームレストテーブル１は、天板２と、天板２を支持し、アームレスト３の両側に、アームレスト３を挟むようにして固定される２つの側板４とを備える。
【００１９】
天板２の上面であるテーブル面は、載置物を載せるのに適したテーブル面を構成している。このようなテーブル面としては、例えば、載置物が滑りにくいような材質で被覆した表面を有するものが考えられる。
【００２０】
アームレストテーブル１の使用に際しては、２つの側板４が、これらの間にアームレスト３を嵌合させることにより、アームレスト３の両側に固定される。このとき、天板２の下面を、アームレスト３の上面に接触させることにより、アームレストテーブル１をより安定させて、アームレスト３に設置することができる。
【００２１】
このように設置されたアームレストテーブル１は、例えば、テーブル面に丼ものなどを載置するために使用することができる。
【００２２】
図２は、本考案の第２実施形態に係るアームレストテーブルを示す。このアームレストテーブル１ｂは、天板２ｂと、天板２ｂを支持し、アームレスト３の両側に、アームレスト３を挟むようにして固定される２つの側板４ｂとを備える。
【００２３】
天板２ｂのテーブル面には、テーブル面上に載置される載置物を受け入れる凹部であって、該載置物を受け入れるのに適合した形状を有する凹部が設けられる。天板２ｂは、前記２つの側板よりも前方に延出した延出部７を備える。
【００２４】
凹部としては、例えば、丼ものを載置するための直方体状凹部５や、飲料容器などを載置して保持させるための円筒状凹部６が設けられる。また、天板２ｂの延出部７には、カップＣの底部側を受けて保持するための貫通孔１５が設けられる。
【００２５】
図３及び図４は、円筒状凹部６の詳細を示す断面図である。図３及び図４に示すように、円筒状凹部６は、円筒面状の側壁及び円形で平面状の底面を有している。円筒状凹部６は、横断面が円形で第１直径を有する第１容器８及び第１直径よりも大きい第２直径を有する第２容器９を保持することができる。
【００２６】
円筒状凹部６は、その側壁における周方向の３箇所以上において、第１容器８及び第２容器９の側面を支持するための３以上の回動支持片１０が、好ましくは回転対称となるように設けられる。例えば、４つの回動支持片１０が、円筒状凹部６の中心軸線ＡＸに関して４回対称となるように設けられる。
【００２７】
各回動支持片１０は、円筒状凹部６の側壁の周方向に沿って延びた回転軸１１により第１回転位置及び第２回転位置の間で回転自在に設けられる。すなわち、この回転は、円筒状凹部６の中心軸線ＡＸを含む面内で行われる。なお、図３では、第１回転位置に位置する回動支持片１０が示されており、図４では、第２回転位置に位置する回動支持片１０が示されている。
【００２８】
各回動支持片１０は、第１回転位置に位置するときに、円筒状凹部６に挿入された第１容器８の側面を支持する第１支持面１２と、第１支持面１２とほぼ直角をなして隣接し、第２回転位置に位置するときに第２容器９の側面を支持する第２支持面１３とを備える。
【００２９】
各回動支持片１０は、第１容器８及び第２容器９のいずれも挿入されていない無負荷状態では、各回動支持片１０を第１回転位置の方向に付勢する付勢手段により第１回転位置に位置する。また、各回動支持片１０は、第２容器９が円筒状凹部６に挿入される際には、第２支持面１３が押されて回転し、第２回転位置に位置する。
【００３０】
付勢手段としては、ここでは回動支持片１０の自重、すなわち回動支持片１０の回転軸１１よりも円筒状凹部６の径方向外側の部分の重量が用いられる。
【００３１】
各回動支持片１０において、回転軸１１は、円筒状凹部６の深さの半分よりも浅い位置に位置する。回転軸１１から第１支持面１２までの距離よりも回転軸１１から第２支持面１３までの距離の方が短い。
【００３２】
回動支持片１０が第１位置に位置するときに回動支持片１０の回転軸１１よりも円筒状凹部６の径方向内方に位置する部分は、円筒状凹部６に挿入された第１容器８の側面に近接又は接触して対峙する支持面（第１支持面１２）を先端部に有するレバー部として機能する。
【００３３】
また、第２支持面１３の回転軸１１よりも第１支持面１２と反対側に、第２容器９の側面に近接又は接触して対峙する凸部１４が設けられる。
【００３４】
アームレストテーブル１ｂを使用する際には、アームレスト３を挟み込むようにしてその両側に側板４を配置することにより、天板２をアームレスト３の上面に固定する。ただし、このアームレストテーブル１ｂの設置は、延出部７がアームレスト３の前端よりも前方に位置するように行うのが好ましい。
【００３５】
このように設置されたアームレストテーブル１ｂにおいては、丼ものなどは、直方体状凹部５内に載置し、飲料容器などは、底部を円筒状凹部６内に配置して円筒状凹部６により保持させることできる。また、飲み物のカップＣは、貫通孔１５に挿入して保持させることができる。
【００３６】
このとき、円筒状凹部６に第１容器８を挿入する場合には、正確に挿入しなくても、第２支持面１３すなわち上述のレバー部が第１容器８の底部により押され、上述の付勢手段による付勢力に抗して回動支持片１０が回転する。これにより、第１容器８の挿入が許容される。
【００３７】
その後、第１容器８の挿入が完了するまでに、回転された回動支持片１０が、上記付勢力によって第１回転位置に復帰する。これにより、容易に第１容器８を円筒状凹部６に保持させることができる。第１容器８を取り出す場合には、第１容器８を上方に引き上げるだけで、容易に取り出すことができる。
【００３８】
第２容器９を円筒状凹部６に挿入する際には、各回動支持片１０の第２支持面１３（レバー部）が押されて各回動支持片１０が回転する。そして、第２容器９が円筒状凹部６に達すると、各回動支持片１０は第２回転位置に位置する。このとき、各第２支持面１３の下端部及び凸部１４が第２容器９の側面に近接又は接して対峙する。これにより、第２容器９が円筒状凹部６によって確実に保持される。
【００３９】
第２容器９を取り出す場合には、第２容器９を上方に引き上げるだけで、容易に取り出すことができる。このとき、各回動支持片１０が上記の付勢力により回転し、第１回転位置に復帰する。
【００４０】
以上のように、本実施形態によれば、天板２ｂのテーブル面上に載置しようとする物を、それに応じた形状を有する直方体状凹部５や、貫通孔１５、円筒状凹部６に配置することができる。これにより、アームレストテーブル１ｂがアームレスト３と共に揺れ動いた場合でも、極力テーブル面から載置物が落下するのを防止することができる。
【００４１】
また、第１容器８又は第２容器９のいずれも円筒状凹部６により確実に保持することができる。その際に、第１容器８を挿入する際には、正確に挿入しなくても、第２支持面１３が回転し、その後、第１回転位置に復帰することにより、容易に第１容器８を保持させることができる。
【００４２】
また、第２容器９を円筒状凹部６に保持させる場合には、第２容器９の側面が、回動支持片１０の第２支持面１３の下端部と凸部１４とで支持されるので、円筒状凹部６に対する第２容器９の挿入及び取り出しをスムーズに行うことができる。
【００４３】
以上、本考案の実施形態について説明したが、本考案はこれに限定されない。例えば、回動支持片１０の第１回転位置への付勢力を、回動支持片１０の自重によらずに、ばね等の弾性部材の弾性力により付与するようにしてもよい。
【００４４】
また、アームレストテーブルを複数に分割した部分で構成し、これらの部分を前後方向に伸縮できるようにしたり、一部分を他の部分に対して前後方向にスライド可能にしたり、各部分を相互に重ねることが可能に構成したりしてもよい。この場合、さらに、肘掛椅子のアームレストの背凭れ側に縮めて寄せることにより邪魔にならないようにしたり、収納できるようにしたりしてもよい。
【符号の説明】
【００４５】
１、１ｂ…アームレストテーブル、２、２ｂ…天板、３…アームレスト、４、４ｂ…側板、５…直方体状凹部、６…円筒状凹部、７…延出部、８…第１容器、９…第２容器、１０…回動支持片、１１…回転軸、１２…第１支持面、１３…第２支持面、１４…凸部、１５…貫通孔、ＡＸ…中心軸線、Ｃ…カップ。
【図１】
0003219289.tif 000003
【図２】
0003219289.tif 000004
【図３】
0003219289.tif 000005
【図４】
0003219289.tif 000006